(57)【特許請求の範囲】
【請求項１】
携帯電話機本体と、
前記携帯電話機本体の一端部に接続された開閉軸と、
前記開閉軸に接続されたフリップ部と、前記フリップ部は、その中央部に貫通部を有し、
前記貫通部に回転自在に設けられた表示装置とを具備し、
前記携帯電話機本体には、前記携帯電話機本体の操作をするための第１操作部が設けられ、
前記表示装置には、前記第１操作部に対応した機能を有する第２操作部が設けられている
携帯電話機。
【請求項２】
携帯電話機本体と、前記携帯電話機本体は、その中央部に貫通部を有し、
前記貫通部に回転自在に設けられた表示装置とを具備し、
前記携帯電話機本体には、前記携帯電話機本体の操作をするための第１操作部が設けられ、
前記表示装置には、前記第１操作部に対応した機能を有する第２操作部が設けられている
携帯電話機。
【請求項３】
携帯電話機本体と、
前記携帯電話機本体の一端部に接続された開閉軸と、
前記開閉軸に接続されたフリップ部と、前記フリップ部は、前記開閉軸に接続された辺以外の辺の中央部から前記フリップ部の中央部に向かって延びる開口部を有し、
前記開口部に回転自在に設けられた表示装置とを具備し、
前記携帯電話機本体には、前記携帯電話機本体の操作をするための第１操作部が設けられ、
前記表示装置には、前記第１操作部に対応した機能を有する第２操作部が設けられている
携帯電話機。
【請求項４】
請求項１〜３のいずれか１項に記載の携帯電話機において、
前記携帯電話機本体の前記操作は、前記第１操作部、前記第２操作部の少なくともいずれか１つにより行われる
携帯電話機。
【請求項５】
請求項１〜３のいずれか１項に記載の携帯電話機において、
前記表示装置には、前記第２操作部を固定させるフレームが設けられている
携帯電話機。
【請求項６】
請求項５記載の携帯電話機において、
前記フレームは、ユーザによって動作され、
前記表示装置は、前記フレームの前記動作により回転する
携帯電話機。
【請求項７】
請求項１〜３のいずれか１項に記載の携帯電話機において、
前記表示装置には、前記表示装置を支持する回転軸が設けられている
携帯電話機。
【請求項８】
請求項１又は３のいずれか１項に記載の携帯電話機において、
前記表示装置には、前記表示装置を支持する回転軸が設けられ、
前記回転軸には、回転範囲を制限する制限部が設けられ、
前記フリップ部には、前記制限部を所定の位置で固定するための固定部が設けられている
携帯電話機。
【請求項９】
請求項２記載の携帯電話機において、
前記表示装置には、前記表示装置を支持する回転軸が設けられ、
前記回転軸には、回転範囲を制限する制限部が設けられ、
前記携帯電話機本体には、前記制限部を所定の位置で固定するための固定部が設けられている
携帯電話機。
【請求項１０】
請求項８又は９記載の携帯電話機において、
前記表示装置は、前記ユーザにより前記制限部の固定動作及び前記固定動作の解放動作がなされる
携帯電話機。
【発明の詳細な説明】
【０００１】
【発明の属する技術分野】
本発明は、携帯電話機に関するものであり、特に液晶表示装置を回転可能とした携帯電話機に関する。
【０００２】
【従来の技術】
液晶ディスプレイを含む液晶表示装置は、携帯電話機等に用いられている。例えば、一般的な折り畳み式携帯電話機は、本体部と、この本体部に開閉可能に取り付けられているフリップ部とを備えている。フリップ部には、画像などの情報を表示する表示部を有する上述した液晶表示装置が取り付けられている。通常、ユーザは、フリップ部が開けられている状態で表示部を見ることができ、本体部を操作することができる。
【０００３】
液晶表示装置を搭載した携帯電話機に関する従来技術として、特開平５−３０１６６号公報では、ヒンジにより回転する開閉式のマイクフリップを有する装置構成において、マイクフリップ部を閉状態でも液晶表示表面を保護するとともに、閉状態でも装置の動作状態を示す液晶表示を視認することができる“携帯無線電話装置”が開示されている。
【０００４】
この“携帯無線電話装置”は、装置の操作および動作状態を表示する表示部と、キー入力用操作ボタン部と、表示部と操作ボタン部上をカバーする開閉可能な折り畳み式のマイクフリップ部を備え、マイクフリップ部に表示部に対応した透明なパネル窓を設けてなるものである。
【０００５】
他の従来技術として、特開平１１−３０８６６９号公報では、折り畳み型の携帯電話機の折り畳み時に不在着信表示を見ることができる“折り畳み型携帯電話機の不在時着信通知及び方法”が開示されている。
【０００６】
この“折り畳み型携帯電話機の不在時着信通知及び方法”は、本体と本体に開閉可能に取り付けられているカバー部材とを具備し、カバー部材が閉じられた状態において内部に液晶ディスプレイを有する折り畳み型携帯電話機の不在時着信通知装置において、カバー部材の開閉を検出するカバー部材開閉検出手段と、携帯電話機の外側に配置されカバー部材開閉検出手段がカバー部材の閉状態を検出している時において携帯電話機が基地局から着信呼び出し信号を受けた時に着信表示をする不在時着信表示手段とを有することを特徴としている。
【０００７】
また、特開２０００−２７００６９号公報では、カメラ部のレンズと表示部の液晶面が対向する状態で収納し、双方共に露出しない形で持ち歩きできる“デジタルカメラ付き携帯情報端末”が開示されている。
【０００８】
この“デジタルカメラ付き携帯情報端末”は、撮影手段を備える撮影部と、表示手段を備える表示部と、撮影部あるいは表示部を回動可能にする機能を少なくとも１つ備える回転支持部とを有するデジタルカメラ付き携帯情報端末において、撮影部あるいは表示の回動指示部を回転軸回りに回動させたとき、撮影部の撮影手段と表示部の表示手段が対向する状態を保つことを特徴としている。
【０００９】
また、特開平１１−２８４７００号公報では、蓋の開閉により自動的に動作モード及び表示方向を切り替えて、表示方向に基づく操作性の悪化を防止する“携帯端末”が知られている。
【００１０】
この“携帯端末”は、無線通信機能を有し、画像表示部と画像表示部に設けられたデジタライザとを有する表示パネルと、表示パネルを保護し閉状態において表示パネルの表示部を外部から透視する窓を備えた開閉自在な蓋と、複数の操作キーと、蓋が開または閉状態になったことを検出する蓋開閉検出手段とを具備する携帯端末であって、少なくとも電話における発着時の動作を行う通常モードと、表示パネルから入力してメモを取るメモモードとを有し、蓋開閉検出手段が蓋の開状態を検出すると表示パネルの表示部を自動的にメモモードに切り替え、表示画像の表示方向を回転して、メモモードの表示画像を表示するようにしたことを特徴としている。
【００１１】
【発明が解決しようとする課題】
ユーザには、情報を確認する際、利用性が向上する携帯電話機が望まれる。
【００１２】
本発明の目的は、ユーザが情報を容易に確認することができる携帯電話機を提供することにある。
【００１３】
本発明の他の目的は、液晶表示装置を回転可能とすることにより操作性が向上する携帯電話機を提供することにある。
【００１４】
本発明の更に他の目的は、液晶表示装置を回転可能とすることにより保守性が向上する携帯電話機を提供することにある。
【００１５】
【課題を解決するための手段】
その課題を解決するための手段が、下記のように表現される。その表現中の請求項対応の技術的事項には、括弧（）付きで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明白にしている。このような対応・橋渡しは、請求項記載の技術的事項が実施の形態又は実施例の技術的事項に限定されて解釈することを意味しない。
【００１６】
本発明による携帯電話機（２０）は、携帯電話機本体（１）と、携帯電話機本体（１）の一端部に接続された開閉軸（９）と、開閉軸（９）に接続されたフリップ部（２）と、表示装置（３）からなる。フリップ部（２）は、その中央部に貫通部（１１）を有している。表示装置（３）は、貫通部（１１）に回転自在に設けられている。
【００１７】
本発明による携帯電話機（５０）は、携帯電話機本体（３１）と、表示装置（３３）からなる。携帯電話機本体（３１）は、その中央部に貫通部（４１）を有している。表示装置（３３）は、貫通部（４１）に回転自在に設けられている。
【００１８】
本発明による携帯電話機（８０）は、携帯電話機本体（６１）と、携帯電話機本体（６１）の一端部に接続された開閉軸（６９）と、開閉軸（６９）に接続されたフリップ部（６２）と、表示装置（６３）からなる。フリップ部（６２）は、開閉軸（６９）に接続された辺以外の辺の中央部からフリップ部（６２）の中央部に向かって延びる開口部（７１）を有している。表示装置（６３）は、開口部（７１）に回転自在に設けられている。
【００１９】
携帯電話機本体（１、３１、６１）には、携帯電話機本体（１、３１、６１）の操作をするための第１操作部（６、３６、６６）が設けられている。また、表示装置（３、３３、６３）には、第１操作部（６、３６、６６）に対応した機能を有する第２操作部（５、３５、６５）が設けられている。そこで、携帯電話機本体（１、３１、６１）の操作は、第１操作部（６、３６、６６）、第２操作部（５、３５、６５）の少なくともいずれか１つにより行われる。
【００２０】
表示装置（３、３３、６３）には、第２操作部（５、３５、６５）を固定させるフレーム（１２、４２、７２）が設けられている。フレーム（１２、４２、７２）は、ユーザによって動作される。表示装置（３、３３、６３）は、フレーム（１２、４２、７２）の動作により回転する。
【００２１】
表示装置（３、３３、６３）には、表示装置（３、３３、６３）を支持する回転軸（４、３４、６４）が設けられている。回転軸（４、３４、６４）には、回転範囲を制限する制限部が設けられている。携帯電話機（２０、８０）において、フリップ部（２、６２）には、制限部を所定の位置で固定するための固定部が設けられている。携帯電話機（５０）において、携帯電話機本体（３１）には、制限部を所定の位置で固定するための固定部が設けられている。表示装置（３、３３、６３）は、ユーザにより制限部の固定動作及び固定動作の解放動作がなされる。
【００２２】
【発明の実施の形態】
添付図面を参照して、本発明による携帯電話機の実施の形態を以下に説明する。
【００２３】
（実施の形態１）
図１（ａ）は、本実施の形態１に係る折り畳み型携帯電話機の内表面を示す図、（ｂ）は、本実施の形態１に係る折り畳み型携帯電話機の外表面を示す図である。
【００２４】
図２は、本実施の形態１に係る折り畳み型携帯電話機の閉じた状態を示す図である。
【００２５】
図３は、本実施の形態１に係る折り畳み型携帯電話機の開いた状態を示す傾視図である。
【００２６】
図４は、本実施の形態１に係る折り畳み型携帯電話機の閉じた状態を示す傾視図である。
【００２７】
図５は、本実施の形態１に係る折り畳み型携帯電話機の開いた状態における液晶表示装置の回転を示す、本実施の形態１に係る折り畳み型携帯電話機を矢印Ａ方向からみた上面図である。
【００２８】
図１（ａ）に示されるように、折り畳み型携帯電話機２０は、本体部１と、本体部１の一端部に接続された開閉軸９と、開閉軸９に接続されたフリップ部２と、画像等の情報を表示する液晶表示装置３からなる。フリップ部２は、その中央部に貫通部１１を有している。液晶表示装置３は、貫通部１１に回転自在に設けられている。折り畳み型携帯電話機２０は、開閉軸９によりフリップ部２を回転することで折り畳むことができる。液晶表示装置３には、液晶表示装置３を支持し、回転させるための２つの回転軸４が上方と下方に取り付けられている。貫通部１１の寸法は、少なくとも液晶表示装置３の寸法以上になるように形成されている。液晶表示装置３の上方に位置するフリップ部２の内表面には、受話部７が設けられている。開閉軸９の下方に位置する本体部１の内表面には、液晶表示装置３の表示内容の変更や動作モードの変更等の操作をするための操作部６が設けられている。操作部６の下方に位置する本体部１の内表面には、送話部８が設けられている。
【００２９】
図１（ｂ）に示されるように、液晶表示装置３は、液晶ディスプレイを含む表示部１０と、操作スイッチ５と、表示部１０と操作スイッチ５とを固定させるフレーム１２からなる。表示部１０と操作スイッチ５は、液晶表示装置３の片方の面に取り付けられている。操作スイッチ５は、上述した操作部６に対応した機能を有している。フレーム１２には、上述した回転軸４が取り付けられている。フレーム１２は、液晶表示装置３を回転させるときにユーザにより操作されるものでもある。図１（ｂ）に示された表示部１０と操作スイッチ５は、折り畳み型携帯電話機２０の外表面に位置している。
【００３０】
尚、図１には本発明を説明するために必要な部分のみが記載されており、例えばアンテナ等、一般的な折り畳み型携帯電話機には必要であるが本発明の説明には不要な構成要素については省略してある。
【００３１】
上述した折り畳み型携帯電話機２０は、開閉軸９によりフリップ部２を回転することができる。ここで、図３に示されるように、開閉軸９によりフリップ部２を回転させることで折り畳み型携帯電話機２０が開いた状態を開状態とする。また、図４に示されるように、開閉軸９によりフリップ部２を回転させることで折り畳み型携帯電話機２０が折り畳まれる状態を閉状態とする。
【００３２】
図５に示されるように、開状態のときの折り畳み型携帯電話機２０は、フリップ部２に対して液晶表示装置３を矢印Ｃ方向に１８０度まで回転させることができる。液晶表示装置３を１８０度まで回転させたとき、図１（ｂ）に示された表示部１０と操作スイッチ５は、折り畳み型携帯電話機２０の内表面に位置する。
【００３３】
図４に示されるように、閉状態のとき折り畳み型携帯電話機２０は、本体部１及びフリップ部２の外表面が露出する。液晶表示装置３の表示部１０及び操作スイッチ５が折り畳み型携帯電話機２０の外表面に位置する場合、閉状態のとき、液晶表示装置３の表示部１０及び操作スイッチ５は、フリップ部２の外表面に露出する。図２に示されるように、フリップ部２の外表面に露出された液晶表示装置３の表示部１０により、ユーザは、折り畳み型携帯電話機２０が閉状態でも情報や表示内容を確認することができる。また、ユーザは、折り畳み型携帯電話機２０に手を触れずに情報や表示内容を確認することができる。また、液晶表示装置３の操作スイッチ５により、ユーザは、折り畳み型携帯電話機２０が閉状態でも表示内容の変更、動作モードの変更等の操作が可能である。
【００３４】
次に、前述した実施の形態１に係る折り畳み型携帯電話機２０の動作について図１、図２及び図５を参照しながら詳細に説明する。
【００３５】
折り畳み型携帯電話機２０は、回転させる状態として、上述した開状態及び閉状態と、液晶表示装置３がフリップ部２の内表面に位置する内表面係止状態と、液晶表示装置３がフリップ部２の外表面に位置する外表面係止状態に分かれる。
【００３６】
まず、外表面係止状態の動作を説明する。ここで、図１（ａ）に示された開状態にある折り畳み型携帯電話機２０において、液晶表示装置３の表示部１０及び操作スイッチ５は、フリップ部２の内表面に位置するものとする。
【００３７】
図１（ａ）に示されるように、折り畳み型携帯電話機２０が開状態であるとき、ユーザは、受話部７及び送話部８により電話をすることができる。折り畳み型携帯電話機２０が開状態であり、液晶表示装置３の表示部１０及び操作スイッチ５がフリップ部２の内表面に位置するとき、液晶表示装置３には、操作部６の操作により送話したい相手の電話番号、受信した相手からの電話番号が表示される。
【００３８】
ユーザは、液晶表示装置３を外表面係止状態にする場合、液晶表示装置３をつまむ。次に、図５に示されるように、ユーザは、フリップ部２に対して液晶表示装置３を矢印Ｃ方向に１８０度まで回転させる。このとき、図１（ｂ）に示されるように、液晶表示装置３の表示部１０及び操作スイッチ５は、折り畳み型携帯電話機２０の外表面に位置する（外表面係止状態）。
【００３９】
次に、閉状態の動作を説明する。
【００４０】
ユーザは、図２（ｂ）に示された外表面係止状態にある折り畳み型携帯電話機２０を閉状態にする場合、本体部１又はフリップ部２の少なくともいずれか一方をつまむ。次に、ユーザは、開閉軸９によりフリップ部２を本体部１側に回転させて折り畳み型携帯電話機２０を折り畳む（閉状態）。このとき、図２に示されるように、液晶表示装置３の表示部１０及び操作スイッチ５は、ユーザにより黙視できる状態にある。
【００４１】
これにより、ユーザは、折り畳み型携帯電話機２０が閉状態でも情報や表示内容を確認することができる。また、ユーザは、折り畳み型携帯電話機２０に手を触れずに情報や表示内容を確認することができる。また、液晶表示装置３の操作スイッチ５により、ユーザは、折り畳み型携帯電話機２０が閉状態でも表示内容の変更、動作モードの変更等の操作が可能である。
【００４２】
また、折り畳み型携帯電話機２０が開状態及び外表面係止状態にあるときにユーザが通話する場合、ユーザの耳及びその周辺部位等が液晶表示装置３の表示部１０に触れないため、表示部１０は汚れない。
【００４３】
実施の形態１に係る折り畳み型携帯電話機２０は、上記の説明に限定されるものではない。折り畳み型携帯電話機２０には、液晶表示装置３が回転可能であり、ユーザにより液晶表示装置３を回転させる機能があればよい。また、液晶表示装置３は、２つの回転軸４に限定されず、１つの回転軸４により回転される構造であってもよい。但し、１つの回転軸４を用いる場合、１つの回転軸４は、液晶表示装置３を支持できる構造であることが望ましい。また、液晶表示装置３の表示部１０、操作スイッチ５の取り付け位置は、液晶表示装置３の片方の面に限定されず、液晶表示装置３の両面であってもよい。
【００４４】
また、液晶表示装置３を１８０度に回転した状態に保持するために、液晶表示装置３には移動範囲を制限する図示せぬ制限部が設けられ、フリップ部２には液晶表示装置３の図示せぬ制限部を所定の位置で固定するための図示せぬ固定部が設けられた構造であってもよい。この場合、液晶表示装置３は、フレーム１２の操作により図示せぬ制限部の固定動作及び固定動作の解放動作がなされることが望ましい。
【００４５】
以上の説明により、実施の形態１に係る折り畳み型携帯電話機２０によれば、ユーザが情報を容易に確認することができる。実施の形態１に係る折り畳み型携帯電話機２０は、ユーザが液晶表示装置３を回転することにより開状態や閉状態でも液晶表示装置３が表示する情報を確認することができるため、利用性が向上する。
【００４６】
また、実施の形態１に係る折り畳み型携帯電話機２０によれば、液晶表示装置を回転可能とすることにより操作性が向上する。実施の形態１に係る折り畳み型携帯電話機２０は、操作スイッチ５が操作部６に対応した機能を有し、ユーザが液晶表示装置３を回転することにより開状態や閉状態でも操作することができるため、操作性が向上する。
【００４７】
更に、実施の形態１に係る折り畳み型携帯電話機２０によれば、液晶表示装置を回転可能とすることにより保守性が向上する。実施の形態１に係る折り畳み型携帯電話機２０は、通話時にユーザが液晶表示装置３を回転することにより液晶表示装置３の表示部１０が汚れないため、保守性が向上する。
【００４８】
（実施の形態２）
実施の形態１に係る折り畳み型携帯電話機２０は、ユーザが液晶表示装置３を回転することができる。一方、実施の形態２に係るストレート型携帯電話機においてもユーザが液晶表示装置３を回転することができる。
【００４９】
実施の形態２に係るストレート型携帯電話機の構成について図６〜図８を参照して説明する。
【００５０】
図６（ａ）は、本実施の形態２に係るストレート型携帯電話機を示す正面図、（ｂ）は、本実施の形態２に係るストレート型携帯電話機を示す背面図である。
【００５１】
図７は、本実施の形態２に係るストレート型携帯電話機を示す傾視図である。
【００５２】
図８は、本実施の形態２に係るストレート型携帯電話機における液晶表示装置の回転を示す、本実施の形態２に係るストレート型携帯電話機を矢印Ｂ方向からみた上面図である。
【００５３】
図６（ａ）に示されるように、ストレート型携帯電話機５０は、本体部３１と、画像等の情報を表示する液晶表示装置３３からなる。本体部３１は、その中央部に貫通部４１を有している。液晶表示装置３３は、貫通部４１に回転自在に設けられている。液晶表示装置３３には、液晶表示装置３３を支持し、回転させるための２つの回転軸３４が上方と下方に取り付けられている。貫通部４１の寸法は、少なくとも液晶表示装置３３の寸法以上になるように形成されている。図６（ａ）又は図７に示されるように、液晶表示装置３３の上方に位置する本体部３１の正面には、受話部３７が設けられている。液晶表示装置３３の下方に位置する本体部３１の正面には、液晶表示装置３３の表示内容の変更や動作モードの変更等の操作をするための操作部３６が設けられている。操作部３６の下方に位置する本体部３１の正面には、送話部３８が設けられている。
【００５４】
図６（ｂ）に示されるように、液晶表示装置３３は、液晶ディスプレイを含む表示部４０と、操作スイッチ３５と、表示部４０と操作スイッチ３５とを固定させるフレーム４２からなる。表示部４０と操作スイッチ３５は、液晶表示装置３３の片方の面に取り付けられている。操作スイッチ３５は、上述した操作部３６に対応した機能を有している。フレーム４２には、上述した回転軸３４が取り付けられている。フレーム４２は、液晶表示装置３３を回転させるときにユーザにより操作されるものでもある。図６（ｂ）に示された表示部４０と操作スイッチ３５は、ストレート型携帯電話機５０の背面に位置している。
【００５５】
尚、図６には本発明を説明するために必要な部分のみが記載されており、例えばアンテナ等、一般的なストレート型携帯電話機には必要であるが本発明の説明には不要な構成要素については省略してある。
【００５６】
図８に示されるように、ストレート型携帯電話機５０は、本体部３１に対して液晶表示装置３３を矢印Ｄ方向に１８０度まで回転させることができる。液晶表示装置３３を１８０度まで回転させたとき、図６（ｂ）に示された表示部４０と操作スイッチ３５は、ストレート型携帯電話機５０の正面に位置する。
【００５７】
次に、前述した実施の形態２に係るストレート型携帯電話機５０の動作について図６〜図８を参照しながら詳細に説明する。
【００５８】
ストレート型携帯電話機５０は、回転させる状態として、液晶表示装置３３が本体部３１の正面に位置する正面係止状態と、液晶表示装置３３が本体部３１の背面に位置する背面係止状態に分かれる。
【００５９】
まず、外表面係止状態の動作を説明する。ここで、図６（ａ）に示されたストレート型携帯電話機５０において、液晶表示装置３３の表示部４０及び操作スイッチ３５は、本体部３１の正面に位置するものとする。
【００６０】
図６（ａ）に示されるように、ユーザは、受話部３７及び送話部３８により電話をすることができる。液晶表示装置３３の表示部４０及び操作スイッチ３５が本体部３１の正面に位置するとき、液晶表示装置３３には、操作部３６の操作により送話したい相手の電話番号、受信した相手からの電話番号が表示される。
【００６１】
ユーザは、液晶表示装置３３を背面係止状態にする場合、液晶表示装置３３をつまむ。次に、図８に示されるように、ユーザは、本体部３１に対して液晶表示装置３３を矢印Ｄ方向に１８０度まで回転させる。このとき、図６（ｂ）に示されるように、液晶表示装置３３の表示部４０及び操作スイッチ３５は、ストレート型携帯電話機５０の背面に位置する（背面係止状態）。
【００６２】
これにより、ユーザは、ストレート型携帯電話機５０が正面係止状態又は背面係止状態のいずれか一方により情報や表示内容を確認することができる。この場合、ユーザは、ストレート型携帯電話機５０に手を触れずに情報や表示内容を確認することができる。また、液晶表示装置３３の操作スイッチ３５により、ユーザは、ストレート型携帯電話機５０が背面係止状態でも表示内容の変更、動作モードの変更等の操作が可能である。
【００６３】
また、ストレート型携帯電話機５０が背面係止状態にあるときにユーザが通話する場合、ユーザの耳及びその周辺部位等が液晶表示装置３３の表示部４０に触れないため、表示部４０は汚れない。
【００６４】
実施の形態２に係るストレート型携帯電話機５０は、上記の説明に限定されるものではない。ストレート型携帯電話機５０には、液晶表示装置３３が回転可能であり、ユーザにより液晶表示装置３３が回転される機能があればよい。また、液晶表示装置３３は、２つの回転軸３４に限定されず、１つの回転軸３４により回転される構造であってもよい。但し、１つの回転軸３４を用いる場合、１つの回転軸３４は、液晶表示装置３３を支持できる構造であることが望ましい。また、液晶表示装置３３の表示部４０、操作スイッチ３５の取り付け位置は、液晶表示装置３３の片方の面に限定されず、液晶表示装置３３の両面であってもよい。
【００６５】
また、液晶表示装置３３を１８０度に回転した状態に保持するために、更に、液晶表示装置３３には移動範囲を制限する図示せぬ制限部が設けられ、本体部３１には液晶表示装置３３の図示せぬ制限部を所定の位置で固定するための図示せぬ固定部が設けられた構造であってもよい。この場合、液晶表示装置３３は、フレーム４２の操作により図示せぬ制限部の固定動作及び固定動作の解放動作がなされることが望ましい。
【００６６】
以上の説明により、本実施の形態２に係るストレート型携帯電話機５０によれば、実施の形態１の効果に加えて液晶表示装置３３を回転することができる。
【００６７】
（実施の形態３）
実施の形態１に係る折り畳み型携帯電話機２０のフリップ部２には、ユーザが液晶表示装置３を回転するための貫通部１１が形成されている。一方、実施の形態３に係る折り畳み型携帯電話機は、ユーザが液晶表示装置３を回転するための開口部が形成されたフリップ部により、実施の形態１に係る折り畳み型携帯電話機２０に比べ小型化が可能になる。
【００６８】
実施の形態３に係る折り畳み型携帯電話機の構成について図９及び図１０を参照して説明する。但し、実施の形態３に係る折り畳み型携帯電話機における液晶表示装置を回転させる方向については、実施の形態１の図５と同様であるため説明を省略する。また、実施の形態３に係る折り畳み型携帯電話機の動作については、実施の形態１と同様であるため説明を省略する。
【００６９】
図９（ａ）は、本実施の形態３に係る折り畳み型携帯電話機の内表面を示す図、（ｂ）は、本実施の形態３に係る折り畳み型携帯電話機の外表面を示す図である。
【００７０】
図１０は、本実施の形態３に係る折り畳み型携帯電話機の閉じた状態を示す図である。
【００７１】
図９（ａ）に示されるように、折り畳み型携帯電話機８０は、本体部６１と、本体部６１の一端部に接続された開閉軸６９と、開閉軸６９に接続されたフリップ部６２と、画像等の情報を表示する液晶表示装置６３からなる。フリップ部６２は、開閉軸６９に直交した辺の中央部からフリップ部６２の中央部に向かって開閉軸６９に平行に延びる開口部７１を有している。回転自在の表示装置６３は、開口部７１に回転自在に設けられている。折り畳み型携帯電話機８０は、開閉軸６９によりフリップ部６２を回転することで折り畳むことができる。液晶表示装置６３には、液晶表示装置６３を支持し、回転させるための２つの回転軸６４が上方と下方に取り付けられている。開口部７１の寸法は、少なくとも液晶表示装置６３の寸法以上になるように形成されている。液晶表示装置６３の上方に位置するフリップ部６２の内表面には、受話部６７が設けられている。開閉軸６９の下方に位置する本体部６１の内表面には、液晶表示装置６３の表示内容の変更や動作モードの変更等の操作をするための操作部６６が設けられている。操作部６６の下方に位置する本体部６１の内表面には、送話部６８が設けられている。
【００７２】
図９（ｂ）に示されるように、液晶表示装置６３は、液晶ディスプレイを含む表示部７０と、操作スイッチ６５と、表示部７０と操作スイッチ６５とを固定させるフレーム７２からなる。表示部７０と操作スイッチ６５は、液晶表示装置６３の片方の面に取り付けられている。操作スイッチ６５は、上述した操作部６６に対応した機能を有している。フレーム７２には、上述した回転軸６４が取り付けられている。フレーム７２は、液晶表示装置６３を回転させるときにユーザにより操作されるものでもある。図９（ｂ）に示された表示部７０と操作スイッチ６５は、折り畳み型携帯電話機８０の外表面に位置している。また、液晶表示装置６３を１８０度まで回転させたとき、図９（ｂ）に示された表示部７０と操作スイッチ６５は、折り畳み型携帯電話機８０の内表面に位置する。
【００７３】
尚、図９には本発明を説明するために必要な部分のみが記載されており、例えばアンテナ等、一般的な折り畳み型携帯電話機には必要であるが本発明の説明には不要な構成要素については省略してある。
【００７４】
上述した折り畳み型携帯電話機８０は、開閉軸６９によりフリップ部６２を回転することができる。ここで、図９に示されるように、開閉軸６９によりフリップ部６２を回転させることで折り畳み型携帯電話機８０が開いた状態を開状態とする。また、図１０に示されるように、開閉軸６９によりフリップ部６２を回転させることで折り畳み型携帯電話機８０が折り畳まれる状態を閉状態とする。
【００７５】
図１０に示されるように、閉状態のとき折り畳み型携帯電話機８０は、本体部６１及びフリップ部６２の外表面が露出する。液晶表示装置６３の表示部７０及び操作スイッチ６５が折り畳み型携帯電話機８０の外表面に位置する場合、閉状態のとき、液晶表示装置６３の表示部７０及び操作スイッチ６５は、フリップ部６２の外表面に露出する。フリップ部６２の外表面に露出された液晶表示装置６３の表示部７０により、ユーザは、折り畳み型携帯電話機８０が閉状態でも情報や表示内容を確認することができる。また、ユーザは、折り畳み型携帯電話機８０に手を触れずに情報や表示内容を確認することができる。また、液晶表示装置６３の操作スイッチ６５により、ユーザは、折り畳み型携帯電話機８０が閉状態でも表示内容の変更、動作モードの変更等の操作が可能である。
【００７６】
実施の形態３に係る折り畳み型携帯電話機８０は、上記の説明に限定されるものではない。折り畳み型携帯電話機８０には、液晶表示装置６３が回転可能であり、ユーザにより液晶表示装置６３を回転させる機能があればよい。また、液晶表示装置６３は、２つの回転軸６４に限定されず、１つの回転軸６４により回転される構造であってもよい。但し、１つの回転軸６４を用いる場合、１つの回転軸６４は、液晶表示装置６３を支持できる構造であることが望ましい。また、液晶表示装置６３の表示部７０、操作スイッチ６５の取り付け位置は、液晶表示装置６３の片方の面に限定されず、液晶表示装置６３の両面であってもよい。
【００７７】
また、液晶表示装置６３を１８０度に回転した状態に保持するために、液晶表示装置６３には移動範囲を制限する図示せぬ制限部が設けられ、フリップ部６２には液晶表示装置６３の図示せぬ制限部を所定の位置で固定するための図示せぬ固定部が設けられた構造であってもよい。この場合、液晶表示装置６３は、フレーム７２の操作により図示せぬ制限部の固定動作及び固定動作の解放動作がなされることが望ましい。
【００７８】
以上の説明により、本実施の形態３に係る折り畳み型携帯電話機８０によれば、実施の形態１の効果に加えて小型化が可能になる。
【００７９】
【発明の効果】
本発明の携帯電話機は、ユーザが情報を容易に確認することができる。
【図面の簡単な説明】
【図１】図１（ａ）は、本実施の形態１に係る折り畳み型携帯電話機の内表面を示す図、（ｂ）は、本実施の形態１に係る折り畳み型携帯電話機の外表面を示す図である。
【図２】図２は、本実施の形態１に係る折り畳み型携帯電話機の閉じた状態を示す図である。
【図３】図３は、本実施の形態１に係る折り畳み型携帯電話機の開いた状態を示す傾視図である。
【図４】図４は、本実施の形態１に係る折り畳み型携帯電話機の閉じた状態を示す傾視図である。
【図５】図５は、本実施の形態１に係る折り畳み型携帯電話機の開いた状態における液晶表示装置の回転を示す、本実施の形態１に係る折り畳み型携帯電話機を矢印Ａ方向からみた上面図である。
【図６】図６（ａ）は、本実施の形態２に係るストレート型携帯電話機を示す正面図、（ｂ）は、本実施の形態２に係るストレート型携帯電話機を示す背面図である。
【図７】図７は、本実施の形態２に係るストレート型携帯電話機を示す傾視図である。
【図８】図８は、本実施の形態２に係るストレート型携帯電話機における液晶表示装置の回転を示す、本実施の形態２に係るストレート型携帯電話機を矢印Ｂ方向からみた上面図である。
【図９】図９（ａ）は、本実施の形態３に係る折り畳み型携帯電話機の内表面を示す図、（ｂ）は、本実施の形態３に係る折り畳み型携帯電話機の外表面を示す図である。
【図１０】図１０は、本実施の形態３に係る折り畳み型携帯電話機の閉じた状態を示す図である。
【符号の説明】
１    本体部
２    フリップ部
３    液晶表示装置
４    回転軸
５    操作スイッチ
６    操作部
７    受話部
８    送話部
９    開閉軸
１０    表示部
１１    貫通部
１２    フレーム
２０    携帯電話機
３１    本体部
３３    液晶表示装置
３４    回転軸
３６    操作部
３７    受話部
３８    送話部
４０    表示部
４１    貫通部
５０    携帯電話機
６１    本体部
６２    フリップ部
６３    液晶表示装置
６４    回転軸
６５    操作スイッチ
６６    操作部
６７    受話部
６８    送話部
６９    開閉軸
７０    表示部
７１    開口部
７２    フレーム
８０    携帯電話機
【図１】
0003662844.tif 000002
【図２】
0003662844.tif 000003
【図３】
0003662844.tif 000004
【図４】
0003662844.tif 000005
【図５】
0003662844.tif 000006
【図６】
0003662844.tif 000007
【図７】
0003662844.tif 000008
【図８】
0003662844.tif 000009
【図９】
0003662844.tif 000010
【図１０】
0003662844.tif 000011